(57)【特許請求の範囲】
【請求項１】
無線回線を介して基地局に接続され、前記基地局との通信を行う無線通信端末において、
画像を撮影する撮影手段と、
前記基地局との間で第一の無線チャネルを捕捉し、前記第一の無線チャネルを介して第一の通信相手とテレビ電話の通信を行う第一の通信手段と、
前記基地局との間で第二の無線チャネルを捕捉し、第一の通信手段と同時に第二の無線チャネルを介して第一の通信相手とは異なる第二の通信相手とメッセージ通信を行う第二の通信手段と、
前記第一の無線チャネルを介して前記第一の通信相手によって送信された映像情報とこの映像情報の受信中に前記第二の無線チャネルを介して前記第二の通信相手によって送信されたメッセージ情報を同時に視覚的に表示する表示手段とを具備し、
前記表示手段は、前記第一の通信手段により受信された前記第一の通信相手に関する映像情報とこの映像情報の受信中に前記撮影手段により撮影された画像情報を同時に視覚的に表示することを特徴とする無線通信端末。
【請求項２】
通信時に利用する情報を記憶する記憶手段を具備し、
表示手段は、基地局と送受する情報とともに、前記記憶手段から読み出した情報を報知することを特徴とする請求項１記載の無線通信端末。
【請求項３】
複数の無線回線の通信時に使用する共通の入力手段とをさらに具備し、
この入力手段は、前記第一及び第二の通信手段が行う複数の無線回線を介して同時に行われる無線回線の種別を切り換える切り換えスイッチを有することを特徴とする請求項１記載の無線通信端末。
【発明の詳細な説明】
【０００１】
【発明の属する技術分野】
本発明は複数の無線回線で同時に通信が可能な無線通信端末に関するものである。
【０００２】
【従来の技術】
従来、回線を複数接続するシステムとして、図７に示すようにＩＳＤＮ網１を用いた通信システムが存在している。この通信システムによれば複数の有線回線の通信は、それぞれ独立した通信端末である、電話機４、パーソナルコンピュータ（ＰＣ）５がデジタル回線終端装置（Ｄｅｉｇｉｔａｌ  Ｓｅｒｖｉｃｅ  Ｕｎｉｔ、ＤＳＵ）２、ＴＡ（Ｔｅｒｍｉｎａｌ  Ａｄａｐｔｏｒ）３を介してＩＳＤＮ網１と接続されて、ＩＳＤＮ網１に接続される相手通信端末（図示せず）と通信を行うように構成されている。
【０００３】
このようなシステムの場合、複数回線の通信をする時には回線分の端末が必要である。つまり、複数回線の通信を一人の操作者が同時に行う際は、たとえば、複数の端末を操作者の手元に並べ、各端末の表示器等のユーザインタフェースに可視可聴表示されるユーザ情報、状態表示等を見落とさないように監視しておく必要がある。そのため、ＴＶ電話通信等のように操作者が通信に多くの注意を払うような場合、他の端末にメッセージ通信等の通信が発生しても、その情報を見落としたり、あるいはＴＶ電話通信に多くの注意を払えないため、操作性が著しく劣化する不具合があった。
【０００４】
さらに、キー入力部も複数具備し、操作が煩雑になったり、報知音があった場合にどの端末から出ているのかわからないといった不具合もある。
また、これらの端末は、１回線通信に必要な、回線インターフェイス（Ｉ／Ｆ）、制御部、キー、表示器等入出力部が内蔵されている。つまり、複数回線の通信には端末の数だけの回路が必要となる。近年ＣＰＵの処理能力や回路の高集積化が飛躍的に向上し、複数回線の信号処理、制御処理を１つの制御部（ＣＰＵ）、で処理が可能であるにもかかわらず、全体としては複数回線分の回路を用意していることになり、コスト、消費電力の増大を招くという問題もある。
【０００５】
また、特に良好な操作性、低コスト、低消費電力を要求される無線通信端末においては、複数回線の通信といえども、複数の端末を用意したり、複数のマン・マシン・インタフェースを設ける事は、操作性の劣化、コスト増、消費電力増を招き、商品性を著しく劣化させるといった問題点を有している。
【０００６】
【発明が解決しようとする課題】
上述のごとく、複数回線で同時に通信する際は、回線毎に端末が必要で、回線毎に必要となる回路、ユーザインタフェースにより、操作性の劣化、コスト増、消費電力増といった問題点があった。そこで本発明ではこの問題点を除去し、一人の操作者が複数の回線を使用しても優れた操作性と、低コスト、低消費電力を持ち合わせる無線通信端末を提供する事を目的とする。
【０００７】
【課題を解決するための手段】
上記目的を達成するために、請求項１記載の発明では、無線回線を介して基地局に接続され、前記基地局との通信を行う無線通信端末において、画像を撮影する撮影手段と、前記基地局との間で第一の無線チャネルを捕捉し、前記第一の無線チャネルを介して第一の通信相手とテレビ電話の通信を行う第一の通信手段と、前記基地局との間で第二の無線チャネルを捕捉し、第一の通信手段と同時に第二の無線チャネルを介して第一の通信相手とは異なる第二の通信相手とメッセージ通信を行う第二の通信手段と、前記第一の無線チャネルを介して前記第一の通信相手によって送信された映像情報と前記第二の無線チャネルを介して前記第二の通信相手によって送信されたメッセージ情報を同時に視覚的に表示する表示手段とを具備し、前記表示手段は、前記第一の通信手段により受信された前記第一の通信相手に関する映像情報とこの映像情報の受信中に前記撮影手段により撮影された画像情報を同時に視覚的に表示することを特徴としている。
【０００８】
上記目的を達成するために、請求項２記載の発明では、通信時に利用する情報を記憶する記憶手段を具備し、表示手段は、基地局と送受する情報とともに、前記記憶手段から読み出した情報を報知することを特徴としている。
【０００９】
上記目的を達成するために、請求項３記載の発明では、請求項１記載の無線通信端末において、複数の無線回線の通信時に使用する共通の入力手段とをさらに具備し、この入力手段は、前記第一及び第二の通信手段が行う複数の無線回線を介して同時に行われる無線回線の種別を切り換える切り換えスイッチを有することを特徴としている。
【００１４】
【発明の実施の形態】
図１は本発明の一実施例であって、例として、ＦＤＭＡ方式の２回線通信を可能とする構成の無線通信端末１００を例として説明する。
無線部（１）は、アンテナＡＮＴ（１１）、デュプレクサＤＰＸ（１２）、送信機ＴＸ１（１３）、送信機ＴＸ２（１６）、ＳＹＮ１（１５）、ＳＹＮ２（１８）、受信機ＲＸ１（１４）、受信ＲＸ２（１７）、ハイブリッド回路（１９−１）、分配器（１９−２）から構成されている。尚、ハイブリッド回路（１９−１）、分配器（１９−２）は図面上、同じ記号で示してあるが、ハイブリッド回路（１９−１）は、ＴＸ１からの出力がＴＸ２に回り込まないような、または、ＴＸ２からの出力がＴＸ１に回り込まないような構成となっており、分配器（１９−２）とは構成は異なる。
【００１５】
制御部２は、端末の動作を制御する各種プログラムが記憶されているプログラムロムであるＲＯＭ（２１）、ワークラムであるＲＡＭ（２２）、無線通信端末１００全体の制御を司る制御部であるベースバンド信号処理部ＢＢ（２３）から構成されている。
【００１６】
入出力部３は、カメラ（ＣＡＭ）３１、表示駆動部（ＤＲＶ）３２、表示部（ＬＣＤ）３３、マイク（ＭＩＣ）３４、スピーカ（ＳＰＥＡＫＥＲ）３５、キー入力部（ＫＥＹ）３６、バイブレータ（ＶＩＢ）３７、サウンダ（ＳＯＵＮＤＥＲ）３８から構成されている。ユーザーがＫＥＹ３６から入力した各種データをＬＣＤ３３が表示し、ユーザーがＭＩＣ３４から入力した音声や、無線部１を介して受信した相手の音声をＳＰＥＡＫＥＲ３５から出力したり、相手からの着信を報知するための着信報知をＳＯＵＮＤＥＲ３８やＶＩＢ３７で行ったり、ユーザーが、ＣＡＭ３１から映像を入力し、ＬＣＤ３３に表示する。
【００１７】
尚、図１においては無線通信端末１００が一般的に具備する構成を示したが、ＣＡＭ３１やＶＩＢ３７は要件としない構成であっても良い。
電源部４は、電源（Ｐ．Ｓ）４１、充電回路（ＣＨＧ）４２、電池（ＢＡＴ）４３から構成されている。この電源部４は、無線通信端末１００への電源供給を行っている。
【００１８】
次に、無線通信端末１００の1 回線通信の動作について述べる。
着呼があると基地局から着信信号が送出され、アンテナ１で受信された着信信号は、ＤＰＸ（１２）、分配器（１９−２）、ＲＸ１（１４）を経由し、ＢＢ（２３）で信号処理される。
【００１９】
その後、基地局の指示に従い、応答信号をＢＢ（２３）から、ＴＸ１（１３）、ハイブリッド回路（１９−１）、ＤＰＸ（１２）、アンテナ１１を介して送信する。
【００２０】
基地局は規定の応答信号が受信できると、通話チャネルを決定し、チャネル指定信号を返す。
無線通信端末１００は基地局から送出されたチャネル指定信号を先ほどと同じ経路で受信するとＢＢ（２３）で信号処理した後、指定された通話チャネルに切り替えるため、ＳＹＮ１（１５）に制御信号を送出する。
【００２１】
通話チャネルへの切り替えが完了し、通話チャネルでの通信が確立すると、可視可聴表示（例えば、ＳＯＵＮＤＥＲ３８から着信音を送出する）を行ない、操作者に着信がある旨の報知を行なう。
【００２２】
操作者がＫＥＹ３６に設けられる通話ボタン押下などの応答を入力すると、通話チャネルの信号を通信モードに対し適切な入出力器に接続し、基地局との通信を開始する。
【００２３】
入出力部３は受信した信号が音声信号であれば、ＭＩＣ３４、ＳＰＥＡＫＥＲ３５に接続し、ＴＶ電話信号であれば、ＣＡＭ３１とＬＣＤ３３を入出力器として接続する。
【００２４】
次に、無線通信端末１００における発呼動作について説明する。
無線通信端末１００の操作者はＫＥＹ３６等のユーザインタフェースから通信モード、接続先の指定等の必要な情報をＢＢ（２３）に入力するとともに、ＫＥＹ３６に設けられる発信ボタンを押下する等のにより発信要求を入力行なう。
【００２５】
発行要求が行われると、ＢＢ（２３）から発呼信号を、ＴＸ１（１３）、ハイブリッド回路（１９−１）、ＤＰＸ（１２）、アンテナ１１を介して送信する。
基地局は規定の発呼信号が受信できると、通話チャネルを決定し、チャネル指定信号を返す。
【００２６】
無線通信端末１００は基地局から送出されたチャネル指定信号を先ほどと同じ経路で受信するとＢＢ（２３）で信号処理した後、指定されたチャネルに切り替えるため、ＳＹＮ１（１５）に制御信号を送出する。
【００２７】
チャネル切り替えが完了し、通話チャネルでの通信が確立するとリングバック信号が網側から送出され、さらに接続された指定先が応答すると通話が確立する。
【００２８】
通話が確立すると同時に通信モードにあった入出力器に信号を接続し、例えば音声通話の場合、ＭＩＣ３４、ＳＰＥＡＫＥＲ３５へ信号を接続し通信をおこなう。
【００２９】
次に、複数回線での通信時の無線通信端末１００の動作について説明する。
まず、着呼動作について述べる。前述したように、ＴＸ１（１３）並びにＲＸ１（１４）で１回線の通信を行なっている時、新たな着呼が発生すると基地局から着信信号が送出される。
【００３０】
アンテナ１１で受信された着信信号は、ＤＰＸ１２、分配器（１９−２）、ＲＸ２（１７）を経由してＢＢ（２３）で信号処理された後、基地局の指示に従い、応答信号をＢＢ（２３）から、ＴＸ２（１６）、ハイブリッド回路（１９−１）、ＤＰＸ（１２）、アンテナ１１を介して送信する。
【００３１】
基地局は規定の応答信号が受信できると、通話チャネルを決定し、チャネル指定信号を返す。無線通信端末１００は基地局から送出されたチャネル指定信号を先ほどと同じ経路で受信すると、ＢＢ（２３）で信号処理した後、指定されたチャネルに切り替えるため、ＳＹＮ２（１８）に制御信号を送出する。
【００３２】
チャネル切り替えが完了し、通話チャネルでの通信が確立すると、可視可聴表示（例えば、ＳＯＵＮＤＥＲ３８から着信音を送出する）を行ない、操作者に着信がある旨の報知を行なう。
【００３３】
操作者がＫＥＹ３６に設けられる通話ボタン押下などの応答を入力すると、通話チャネルの信号を通信モードに対し適切な入出力器に接続し、通信を開始する。
【００３４】
次に、１回線ですでに通信を行っている状態での発呼動作について述べる。
ＫＥＹ（３６）から通信モード、接続先の指定等の必要な情報をＢＢ（２３）に入力するとともに入出力器を選択し、発信ボタンを押下すると、ＢＢ（２３）から発呼信号を、ＴＸ２（１６）、ハイブリッド回路（１９−１）、ＤＰＸ（１２）、アンテナ（１１）を介して送信する。
【００３５】
基地局は規定の発呼信号が受信できると、通話チャネルを決定し、チャネル指定信号を返す。携帯電話端末は基地局から送出されたチャネル指定信号を先ほどと同じ経路で受信するとＢＢ（２３）で信号処理した後、指定された通話チャネルに切り替えるため、ＳＹＮ２（１８）に制御信号を送出する。
【００３６】
通話チャネルへの切り替えが完了し、通話チャネルでの通信が確立するとリングバック信号が網側から送出され、さらに接続された指定先が応答すると通話が確立する。
【００３７】
チャネル切り替えが完了し、通話チャネルでの通信が確立するとリングバック信号が網側から送出され、さらに接続された指定先が応答すると通話が確立する。通話が確立すると同時に通信モードにあった入出力器に信号を接続する。
【００３８】
以上述べたような発着呼動作により、本発明の無線通信端末１００では２回線での同時通信が行なえることになる。
本発明において、図２に示すように、ＢＢ２３は、通常具備する構成要件以外に２回線の通信を確立するための複数回線確立制御部２３１を具備している。この複数回線確立制御部２３１により、無線通信端末１００は、前述した複数同時通信を行うことができることになる。
【００３９】
無線通信端末１００が行う２回線での通信の組み合わせは例えば、音声通信＋メッセージ通信、ＴＶ電話＋メッセージ通信、サーバーなどのコンテンツに等の情報サービス受信＋音声通信などが考えられる。
【００４０】
例としてＴＶ電話＋メッセージ通信の通信の組み合わせを考えた場合、本発明では、図３に示すように、１つの入出力器によって可視可聴表示することでユーザーに情報を報知することを特徴としている。
【００４１】
つまり、１回線でＴＶ電話通信を行っている状態では、図３（ａ）に示すように、ＬＣＤ３３は受信した画像情報およびＣＡＭ３１で撮影した画像情報を表示する。
【００４２】
この状態で、メッセージ通信を行う場合、図３（ｂ）に示すように、ＬＣＤ３３に受信した画像情報およびＣＡＭ３１で撮影した画像情報を表示した状態で、ＬＣＤ３３の下部に受信したメッセージ情報を表示する。
【００４３】
本発明の無線通信端末１００において、図２に示すように、ＢＢ２３は通常具備する構成要件以外に、２回線での通信時にそれぞれの回線の通信に関する情報をＬＣＤ３３に表示する制御を行う複数通信表示制御部２３２を具備している。
【００４４】
この複数回線表示制御部２３２により、無線通信端末１００は、それぞれの通信に関する情報をＬＣＤ３３に表示することができる。
また、本実施例においては、ＬＣＤ３３に画像情報を表示する例を示したが、画像情報以外に、たとえば、無線通信端末１００が記憶する発信相手の電話番号、相手の名前を記憶する電話帳メモリから通信相手に関する情報（電話番号、名前）を読み出して、複数の通信毎に表示させるようにすることも可能である。
【００４５】
以上述べたように、無線通信端末１００は、１つの表示部で複数の通信に関する情報をユーザに報知する事ができるので、優れた操作性を有することになる。
さらに、本発明の無線通信端末１００では、これら複数回線の通信においても一つのユーザインタフェースにより可視可聴表示できるようにしているので、入出力器を複数用意する必要が無く、また制御機能を１つの制御部ＢＢ２３で行なうため、優れた操作性と、低コスト、低消費電力を実現することができる。
【００４６】
複数回線に対応するためには、従来、図４のように回線毎に対応したＫＥＹ３６を具備するが、本発明では、図５のように、複数回線通信時に通信回線を切り替えるスイッチＳＷ３６１をＫＥＹ３６に設ける等の方法で１つのキー入力部を構成している。この切り替え方法はサービス内容に応じてキーの機能割付けを変更する事や、複数回線の発生を契機に切り替えても良い。
【００４７】
また、図１の本発明の無線通信端末はＦＤＭＡ方式の２回線通信に対応した構成として説明したが、無線通信方式として、時分割多重方式（ＴＤＭＡ）を用い、図６に示すように送受信部が１系統のみである無線通信端末１００についても本発明は適用可能である。
【００４８】
図６に示す無線通信端末１００は、送受信部が１系統であり、無線部１は、ＡＮＴ１１、ＤＰＸ１２、ＴＸ１３、ＲＸ１４、ＳＹＮ１５とから構成されている点が、図１に示す送受信部を２系統具備する無線通信端末と構成が異なり、その他の構成要件については、図１に示す構成要件と同様である。さらには、この図６に示すＢＢ２３は図２に示す複数回線確立制御部２３１と複数通信表示制御部２３２を具備する。
【００４９】
さらに、本発明の無線通信方式は限定されるものではなく、符号分割多重（ＣＤＭＡ）方式の場合においては、送受信機をそれぞれ1 系統用意すれば複数回線の通信が可能であり、さらに低消費電力化、低コスト化を図る事ができる。
【００５０】
【発明の効果】
以上説明したように、１つの筐体内で複数回線の通信が出来るような装置構成と、１つのユーザインタフェースにより、複数回線から得た情報を表示器に表示するので、容易に複数の情報を認識する事ができ、優れた操作を実現する事ができる。
【図面の簡単な説明】
【図１】  本発明の実施形態の無線通信端末１００の構成図である。
【図２】  本発明の実施形態の無線通信端末１００におけるＢＢ２３の構成を示す図である。
【図３】（ａ）（ｂ）ともに、本発明の実施形態の無線通信端末１００におけるＬＣＤ３３の表示例を示す図である。
【図４】  本発明の実施形態の無線通信端末１００の外観図である。
【図５】  本発明の実施形態の無線通信端末１００の外観図である。
【図６】  本発明の実施形態の無線通信端末１００の構成図である。
【図７】  ＩＳＤＮ網を用いた通信システムの１例を示す図である。
【符号の説明】
１・・・無線部１、１１・・・アンテナ（ＡＮＴ）、１２・・・デュプレクサ（ＤＰＸ）、１３・・・送信部（ＴＸ１）、１４・・・受信部（ＲＸ１）、１５・・・シンセサイザ（ＳＹＮ１）、１６・・・送信部（ＴＸ２）、１７・・・受信部（ＲＸ２）、１８・・・シンセサイザ（ＳＹＮ２）、２・・・制御部、２１・・・ＲＯＭ、２２・・・ＲＡＭ、２３・・・ベースバンド部（ＢＢ）、３・・・入出力部、３１・・・カメラ（ＣＡＭ）、３２・・・表示駆動部（ＤＲＶ）、３２・・・表示部（ＬＣＤ）、３４・・・マイク（ＭＩＣ）、３５・・・スピーカ（ＳＰＥＡＫＥＲ）、３６・・・キー入力部（ＫＥＹ）、３７・・・バイブレータ（ＶＩＢ）、３８・・・サウンダ（ＳＯＵＮＤＥＲ）、４・・・電源部、４１・・・電源（Ｐ．Ｓ）、４２・・・充電回路（ＣＨＧ）、４３・・・電池（ＢＡＴ）
【図１】
0004074036.tif 000002
【図２】
0004074036.tif 000003
【図３】
0004074036.tif 000004
【図４】
0004074036.tif 000005
【図５】
0004074036.tif 000006
【図６】
0004074036.tif 000007
【図７】
0004074036.tif 000008